(57)【要約】【課題】投票に関する取引を効率化できる投票端末、投票システムおよび投票方法を提供する。【解決手段】投票端末１は、読取部２と、誤記判定部３と、印刷部４とを備える。読取部２は、投入された投票カードに記載された投票券の投票情報を読み取る。誤記判定部３は、読み取った投票情報に基づいて、投票カードの誤記を検出する。印刷部４は、投票カードに誤記を検出した場合、誤記を検出した箇所に応じて投票カードに強調表示印刷をする。投票端末１は、強調表示印刷がされた投票カードを排出する。【選択図】図１
2016118839.tif 000002
【特許請求の範囲】
【請求項１】
投入された投票カードに記載された投票券の投票情報を読み取る読取部と、
前記投票情報に基づいて、前記投票カードの誤記を検出する誤記判定部と、
前記投票カードに前記誤記を検出した場合、前記誤記を検出した箇所に応じて前記投票カードに強調表示印刷をする印刷部と、を備え、
前記強調表示印刷がされた前記投票カードを排出する、
ことを特徴とする投票端末。
【請求項２】
前記印刷部は、前記投票カードの色と異なる色で前記強調表示印刷をする、
ことを特徴とする請求項１記載の投票端末。
【請求項３】
前記印刷部は、前記誤記を検出しなかった箇所に応じて、前記強調表示印刷が行われる領域と重なる領域に非強調表示印刷をする、
ことを特徴とする請求項１記載の投票端末。
【請求項４】
前記印刷部は、前記投票カードの色と同一色または同系色で前記非強調表示印刷をする、
ことを特徴とする請求項３記載の投票端末。
【請求項５】
前記印刷部は、前記投票カードに予め設けられた文字あるいは図形のいずれかが記載される領域を除いた領域に対して、前記強調表示印刷または前記非強調表示印刷をする、
ことを特徴とする請求項３記載の投票端末。
【請求項６】
前記強調表示印刷は、
前記誤記を検出した箇所を含む領域を囲む枠を印刷すること、
前記誤記を検出した箇所を含む領域の色を前記投票カードの色と異なる色に変更すること、
前記誤記を検出した箇所を指摘する文字や図形を印刷することを含む、
ことを特徴とする請求項１記載の投票端末。
【請求項７】
前記非強調表示印刷は、
前記誤記を検出しなかった箇所を含む領域を囲む枠を前記投票カードの色と同一色または同系色で印刷すること、
前記誤記を検出しなかった箇所を含む領域の色を前記投票カードの色と同一色または同系色にすることを含む、
ことを特徴とする請求項３記載の投票端末。
【請求項８】
読取部と誤記判定部と印刷部とを備えた投票端末における投票方法であって、
前記読取部は、投入された投票カードに記載された投票券の投票情報を読み取り、
前記誤記判定部は、前記投票情報に基づいて、前記投票カードの誤記を検出し、
前記印刷部は、前記投票カードに前記誤記を検出した場合、前記誤記を検出した箇所に応じて前記投票カードに強調表示印刷をし、
前記強調表示印刷がされた前記投票カードを排出する、
ことを特徴とする投票方法。
【請求項９】
投入された投票カードに記載された投票券の投票情報を読み取る読取部と、
前記投票情報に基づいて、前記投票カードの誤記を検出する誤記判定部と、
前記投票カードに前記誤記を検出した場合、前記誤記を検出した箇所に応じて前記投票カードに強調表示印刷をする印刷部と、
ホストコンピュータへ前記投票カードに関する情報を送信するインタフェースと、
を備える投票端末と、
前記投票端末から前記投票カードに関する情報を受信する前記ホストコンピュータと、
を有することを特徴とする投票システム。
【発明の詳細な説明】
【技術分野】
【０００１】
本発明は、投票端末、投票システムおよび投票方法に関する。
【背景技術】
【０００２】
従来から、競馬、競輪、競艇、オートレース等の公営競技場やその場外投票券売場などに設置される投票券を発売または払戻しを行う投票端末がある。発券する投票券発売機や、的中した投票券を払い戻す払戻機およびその両方の機能を備えた投票券発払機（投票端末）が知られている。
【０００３】
利用者は、投票内容に応じてマークを記入した投票カード（マークカード）と現金とを投票端末に投入し、馬券等の投票券を購入することができる。しかし、投票カードに記入ミスがあり、投票券を発行できないときは、投票カードの修正が必要になる。
【０００４】
投票端末は、投票カードのマークに誤記（マークミス）がある場合、投票カードを利用者に返却し、マークミスの修正の案内を投票端末の画面に表示する。
【先行技術文献】
【特許文献】
【０００５】
【特許文献１】特開２００９−２６５８９５号公報
【発明の概要】
【発明が解決しようとする課題】
【０００６】
従来の修正案内では、画面で修正できないような記入ミスがあったときは、修正案内は行われずに投票カードが返却されてしまう。また、修正案内があっても、画面による操作に不慣れな利用者は、返却された投票カードを確認して修正しようとする場合が多い。しかしながら、返却された投票カードを確認しても修正箇所を見つけ出すのは容易ではなく、修正に時間がかかるため、投票に関する取引の効率が低下するおそれがあった。
【０００７】
一側面では、本発明は、投票に関する取引を効率化できる投票端末、投票システムおよび投票方法を提供することを目的とする。
【課題を解決するための手段】
【０００８】
上記目的を達成するために、以下に示すような投票端末を提供する。投票端末は、読取部と、誤記判定部と、印刷部とを備える。読取部は、投入された投票カードに記載された投票券の投票情報を読み取る。誤記判定部は、投票情報に基づいて、投票カードの誤記を検出する。印刷部は、投票カードに誤記を検出した場合、誤記を検出した箇所に応じて投票カードに強調表示印刷をする。投票端末は、強調表示印刷がされた投票カードを排出する。
【発明の効果】
【０００９】
一態様によれば、投票に関する取引を効率化できる投票端末、投票システムおよび投票方法を提供できる。
【図面の簡単な説明】
【００１０】
【図１】第１の実施形態の投票端末の構成の一例を示す図である。
【図２】第２の実施形態の投票システムの構成の一例を示す図である。
【図３】第２の実施形態の投票端末のハードウェア構成の一例を示す図である。
【図４】第２の実施形態の投票カード読取ユニットの構成の一例を示す図である。
【図５】第２の実施形態の投票システムの機能ブロックの一例を示す図である。
【図６】第２の実施形態の投票カード（記入前）の一例を示す図である。
【図７】第２の実施形態のマークミス判定情報（複数記入）の一例を示す図である。
【図８】第２の実施形態のマークミス判定情報（式別）の一例を示す図である。
【図９】第２の実施形態の投票カード（返却後１）の一例を示す図である。
【図１０】第２の実施形態の投票カード（返却後２）の一例を示す図である。
【図１１】第２の実施形態の投票カード（返却後３）の一例を示す図である。
【図１２】第２の実施形態の発券処理のフローチャートを示す図である。
【図１３】第２の実施形態のマークミス判定処理のフローチャートを示す図である。
【図１４】第２の実施形態の投票カード印刷処理のフローチャートを示す図である。
【発明を実施するための形態】
【００１１】
以下、図面を参照して実施の形態を詳細に説明する。
［第１の実施形態］
まず、第１の実施形態の投票端末の構成について図１を用いて説明する。図１は、第１の実施形態の投票端末の構成の一例を示す図である。
【００１２】
投票端末１は、読取部２と、誤記判定部３と、印刷部４とを備え、公営競技における投票券の発券を行う。投票端末１は、投入された投票カードに応じて投票券を発券するが、投入された投票カードに誤記があると判定した場合は、投票券を発券せず投入された投票カードを排出する。
【００１３】
読取部２は、投入された投票カードに記載された投票券の投票情報を読み取る。読取部２は、投票カードに記載された投票券の投票情報を読み取り、誤記判定部３へ出力する。
誤記判定部３は、読み取った投票情報に基づいて、投票カードの誤記を検出する。誤記判定部３は、投票情報の誤記検出を行う際に、誤記を検出する基準となる情報等を用いてもよい。誤記判定部３は、検出した結果を印刷部４へ出力する。
【００１４】
印刷部４は、誤記を検出した結果に基づいて、投票カードに強調表示の印刷をする。強調表示の印刷とは、投票カードの誤記の部分や誤記が含まれる領域について利用者が把握しやすくするために、描画、印字、色変更などで表示を変更することである。印刷部４は、インク、レーザ、熱、圧力、磁気などを用いて投票カードに強調表示の印刷を行ってもよい。
【００１５】
このような構成の投票端末１の動作について説明する。投票端末１は、利用者から投票カードが投入される。読取部２は、投入された投票カードを読み取る。誤記判定部３は、読取部２が読み取った投票情報に基づいて、投票カードの誤記を検出する。印刷部４は、誤記が検出された場合に、誤記を検出した箇所に応じた強調表示の印刷を行う。投票端末１は、誤記を検出した箇所に応じた強調表示の印刷を行った投票カードを利用者へ返却する。
【００１６】
このようにして、利用者が投票カードの誤記を見つけやすくできる投票端末、投票システムおよび投票方法を提供できる。
また、返却された投票カードで誤記を確認しやすくなるため、利用者一人当たりの投票端末の操作時間短縮が見込める。これにより、投票券の購入を希望する多数の利用者が、投票端末に行列をなしている場合であっても、投票端末における取引効率を向上させることが見込める。
【００１７】
また、利用者は、返却された投票カードを用いて、投票カードを返却した投票端末とは異なる他の投票端末で投票券を購入することができる。このため、利用者が特定の投票端末を占有する時間を短縮させることや、投票券の販売効率の向上が見込める。
【００１８】
［第２の実施形態］
次に、第２の実施形態の投票システムについて図２を用いて説明する。図２は、第２の実施形態の投票システムの構成の一例を示す図である。
【００１９】
投票システムは、投票端末３０と、ホストコンピュータ５０とがネットワーク４０を介して接続する構成を有する。なお、投票システムは、複数の投票端末３０や複数のホストコンピュータ５０を備えることができる。
【００２０】
投票端末３０は、図１に示した投票端末１の一実施形態である。投票端末３０は、利用者（投票者）が現金と投票カードを投入することで投票券を購入する装置である。投票端末３０は、投票カード排出口３００と、投票カード投入口３０１と、硬貨出入口３０２と、投票券排出口３０３と、紙幣出入口３０４と、ディスプレイ３０５と、タッチパネル３０６とを備える。ここでの説明は省略するが、払戻し機能を備えていてもよい。
【００２１】
投票カード排出口３００は、投票カードのマークに誤記（マークミス）がある場合に、投票カードを返却するための排出口である。投票カード投入口３０１は、投票者が投票したい内容を記載した投票申し込みマークカード（以下、投票カードと記載。）の投入口である。
【００２２】
硬貨出入口３０２は、硬貨の投入口であり、返却する硬貨または釣銭の排出口でもある。投票券排出口３０３は、発券された投票券の排出口である。紙幣出入口３０４は、紙幣の投入口であり、返却する紙幣または釣銭の排出口でもある。
【００２３】
ディスプレイ３０５は、タッチパネル３０６の下層に配置されており、操作案内、レース案内、投票カードの投票等の情報を表示する。タッチパネル３０６は、透過型のタッチパネルであり、各種の入力や投票内容の修正等の際に操作される。ディスプレイ３０５により表示された情報は、タッチパネル３０６を透過して、投票者から視認可能である。投票者は、ディスプレイ３０５により表示された情報を見ながら、タッチパネル３０６に対するタッチ操作を行うことができる。
【００２４】
ホストコンピュータ５０は、システム全体を管理する管理装置であり、投票端末３０とネットワーク４０を介して通信を行う。ホストコンピュータ５０は、投票端末３０に対し、投票券の発券や投票券の払い戻し等を管理するとともに、オッズの計算、配当金の計算等を行う。
【００２５】
ネットワーク４０は、たとえば、ＬＡＮ（Local Area Network）、ＷＡＮ（Wide Area Network）、インターネット等のネットワーク、あるいは、それらが混在するネットワークである。ネットワーク４０は、有線ネットワークだけでなく、無線ネットワークなども含む。
【００２６】
次に、第２の実施形態の投票端末のハードウェア構成について図３を用いて説明する。図３は、第２の実施形態の投票端末のハードウェア構成の一例を示す図である。
投票端末３０は、制御部３１０と、ディスプレイ３０５と、タッチパネル３０６と、紙幣還流ユニット３２１と、硬貨還流ユニット３２２と、投票券印刷ユニット３２３と、可搬型記録ユニット３２４と、投票カード読取ユニット３５０と、を備える。
【００２７】
投票端末３０は、ＣＰＵ３１１（Central Processing Unit）によって装置全体が制御されている。ＣＰＵ３１１には、バス３１７を介してＲＡＭ（Random Access Memory）３１２と複数の周辺機器が接続されている。ＣＰＵ３１１は、マルチプロセッサであってもよい。ＣＰＵ３１１は、たとえば、ＭＰＵ（Micro Processing Unit）、ＤＳＰ（Digital Signal Processor）、ＡＳＩＣ（Application Specific Integrated Circuit）、またはＰＬＤ（Programmable Logic Device）であってもよい。またＣＰＵ３１１は、ＣＰＵ、ＭＰＵ、ＤＳＰ、ＡＳＩＣ、ＰＬＤのうちの２以上の要素の組み合わせであってもよい。
【００２８】
ＲＡＭ３１２は、投票端末３０の主記憶装置として使用される。ＲＡＭ３１２には、ＣＰＵ３１１に実行させるＯＳ（Operating System）のプログラムやアプリケーションプログラムの少なくとも一部が一時的に格納される。また、ＲＡＭ３１２には、ＣＰＵ３１１による処理に必要な各種データが格納される。
【００２９】
バス３１７に接続されている周辺機器としては、ＨＤＤ（Hard Disk Drive）３１３、通信インタフェース３１４、グラフィック処理ユニット３１５、入出力インタフェース３１６がある。
【００３０】
ＨＤＤ３１３は、内蔵したディスクに対して、磁気的にデータの書き込みおよび読出しを行う。ＨＤＤ３１３は、投票端末３０の補助記憶装置として使用される。ＨＤＤ３１３には、ＯＳのプログラム、アプリケーションプログラム、および各種データが格納される。なお、補助記憶装置としては、フラッシュメモリなどの半導体記憶装置を使用することもできる。
【００３１】
通信インタフェース３１４は、ネットワーク４０に接続されている。通信インタフェース３１４は、ネットワーク４０を介して、ホストコンピュータ５０などの機器との間でデータの送受信を行う。
【００３２】
グラフィック処理ユニット３１５には、ディスプレイ３０５が接続されている。グラフィック処理ユニット３１５は、ＣＰＵ３１１からの命令に従って、画像をディスプレイ３０５に表示させる。ディスプレイ３０５としては、ＣＲＴ（Cathode Ray Tube）を用いた表示装置や液晶表示装置などがある。
【００３３】
入出力インタフェース３１６には、タッチパネル３０６と、紙幣還流ユニット３２１と、硬貨還流ユニット３２２と、投票券印刷ユニット３２３と、可搬型記録ユニット３２４と、投票カード読取ユニット３５０とが接続されている。また、入出力インタフェース３１６は、可搬型記録ユニット３２４に対する情報の書き込み及び読み出しが可能な可搬型記録媒体インタフェースと接続可能になっている。
【００３４】
入出力インタフェース３１６は、タッチパネル３０６、紙幣還流ユニット３２１、硬貨還流ユニット３２２、投票券印刷ユニット３２３、可搬型記録ユニット３２４、投票カード読取ユニット３５０から送られてくる信号を、バス３１７を介してＣＰＵ３１１に送信する。また、入出力インタフェース３１６は、ＣＰＵ３１１から送られてくる制御信号を、バス３１７を介して対応するユニットへ送信する。
【００３５】
紙幣還流ユニット３２１は、紙幣の受け入れ、紙幣の真贋の鑑別、紙幣の収納、紙幣の返却、釣銭の排出を行う。硬貨還流ユニット３２２は、硬貨の受け入れ、硬貨の真贋の鑑別、硬貨の収納、硬貨の返却、釣銭の排出を行う。投票券印刷ユニット３２３は、投票内容を印刷して投票券を発行する。
【００３６】
投票カード読取ユニット３５０は、投票カードから投票内容を読み取るユニットである。また、投票カード読取ユニット３５０は、投票カードに印刷等を行う機能も備えている。投票カード読取ユニット３５０は、投票カードに文字や図形等を印刷することや投票カードの背景色を変更することなども可能である。なお、投票カードの背景色は、投票カードに記載される文字や図形の背景となる色を指し、投票カードに印刷が行われる前は投票カード自体の色（地色）に相当する。
【００３７】
以上のようなハードウェア構成によって、第２の実施形態の処理機能を実現できる。なお、第１の実施形態に示した投票端末１も、図２に示した投票端末３０と同様のハードウェアにより実現できる。なお、ホストコンピュータ５０も図３に示した投票端末３０の制御部３１０と同様の構成とできる。
【００３８】
投票端末３０は、たとえば、読み取り可能な記録媒体に記録されたプログラムを実行することにより、第二の実施形態の処理機能を実現する。投票端末３０に実行させる処理内容を記述したプログラムは、様々な記録媒体に記録しておくことができる。たとえば、投票端末３０に実行させるプログラムをＨＤＤ３１３に格納しておくことができる。ＣＰＵ３１１は、ＨＤＤ３１３内のプログラムの少なくとも一部をＲＡＭ３１２にロードし、プログラムを実行する。また投票端末３０に実行させるプログラムを、光ディスク、メモリ装置、メモリカードなどの可搬型記録ユニット３２４に記録しておくこともできる。可搬型記録媒体に格納されたプログラムは、たとえばＣＰＵ３１１からの制御により、ＨＤＤ３１３にインストールされた後、実行可能となる。またＣＰＵ３１１が、可搬型記録媒体から直接プログラムを読出して実行することもできる。
【００３９】
次に、第２の実施形態の投票カード読取ユニットの構成について図４を用いて説明する。図４は、第２の実施形態の投票カード読取ユニットの構成の一例を示す図である。
投票カード読取ユニット３５０は、投票カード排出口３００と、投票カード投入口３０１と、投票カード印刷読取部３５３とを含む。なお、投票カード読取ユニット３５０は、投票カード収納部３５４と接続できる。
【００４０】
投票カード排出口３００は、返却する投票カードが排出される排出口である。投票カード投入口３０１は、投票カードが投入される投入口である。
投票カード印刷読取部３５３は、投票カードの読み取りや、投票カードの印刷を行う。投票カード印刷読取部３５３は、印刷ユニット３５２ａ，３５２ｂと、投票カード搬送路３５５と、読取センサ３５６ａ，３５６ｂとを含む。また、投票カード印刷読取部３５３は、ローラ３５１ａ，３５１ｂ，３５１ｃ，３５１ｄ，３５１ｅ，３５１ｆ，３５１ｇ，３５１ｈ，３５１ｉ，３５１ｊ，３５１ｋ，３５１ｌ，３５１ｍを含む。以下、特にローラを特定して説明する必要がないときは、ローラ３５１と表記する。なお、図４に示したローラ３５１の矢印は、各ローラ３５１の回転方向を示している。
【００４１】
ローラ３５１は、投票カード投入口３０１から投入された投票カードを搬送するために用いられる。ローラ３５１は回転し、投票カードを投票カード搬送路３５５において移動させることができる。
【００４２】
印刷ユニット３５２ａ，３５２ｂは、投票カードに文字や図形を印刷することや、投票カードの背景色を変更することが可能である。以下、特に印刷ユニットを特定して説明する必要がないときは、印刷ユニット３５２と表記する。
【００４３】
印刷ユニット３５２は、インクやレーザや熱や磁気等を用いて投票カードに印刷等が可能である。また、印刷ユニット３５２は、投票カードの表面と裏面の両方に印刷等が可能である。
【００４４】
なお、印刷ユニット３５２は、読取センサ３５６ａ，３５６ｂの後ろから投票カード排出口３００までの投票カード搬送路３５５の経路のいずれかに設置することが可能である。たとえば、印刷ユニット３５２は、ローラ３５１ｆとローラ３５１ｅの間に設けることが可能である。また、印刷ユニット３５２は、読取センサ３５６ａ，３５６ｂとローラ３５１ｉの間に設けることも可能である。
【００４５】
読取センサ３５６ａ，３５６ｂは、投票カードを読み取ることができる。以下、特に読取センサを特定して説明する必要がないときは、読取センサ３５６と表記する。読取センサ３５６は、光学式マーク認識（ＯＭＲ：Optical Mark Recognition）や光学文字認識（ＯＣＲ：Optical Character Recognition）が可能であり、投票カードに記入されたマーク、文字、図形などを読み取る機能を有する。
【００４６】
投票カード収納部３５４は、投票カードを収納する構造である。投票内容が正しく記入された投票カードに基づき投票券が発券される場合、投票カード収納部３５４は、利用者に返却する必要がない為、正しく記入された投票カードを収納する。なお、正しく記入された投票カードを収納する構造を設けるのは一例であり、別の構造を設けてもよい。例えば、正しく記入された投票カードを排出する排出口を設けてもよいし、その他の構造でもよい。
【００４７】
ここで、投票カード読取ユニット３５０に投票カードが投入された場合の投票カードの流れについて説明する。
投票カードは、投票カード投入口３０１から投入され、読取センサ３５６に搬送される。この際、ローラ３５１ｌ，３５１ｊ，３５１ｍ，３５１ｋは、投票カードを読取センサ３５６に搬送するように回転する。
【００４８】
投票カードに関する情報（投票カードの種別、投票カードに予め記載された項目、投票カードに記入されたマーク等）は、読取センサ３５６によって読み取られる。
読取センサ３５６で読み取られた投票カードに関する情報に基づき、マークが正しく記入されている投票カードは、投票カード収納部３５４に収納される。この際、ローラ３５１ｆ，３５１ｇ，３５１ｉ，３５１ｈは、投票カードを投票カード収納部３５４に搬送するように回転する。
【００４９】
読取センサ３５６で読み取られた投票カードに関する情報に基づき、マークが正しく記入されていない投票カードは、印刷ユニット３５２へ搬送される。この際、ローラ３５１ｆ，３５１ｇ，３５１ｉ，３５１ｈ，３５１ｅ，３５１ｄは、投票カードを印刷ユニット３５２に搬送するように回転する。
【００５０】
印刷ユニット３５２は、投票カードにおいてマークが正しく記載されていない部分に対応して、強調表示の印刷（マークミスを含む領域に枠を印刷、マークミスを含む領域の背景色を目立つよう変更、誤記を指摘する記号・文言の印刷等）をする。
【００５１】
また、印刷ユニット３５２は、投票カードにおいてマークが正しく記載された部分に対応して、非強調表示の印刷をする。非強調表示の印刷とは、正しくマークされた箇所を含む領域に強調表示の印刷を目立たなくする印刷や、投票カードの色と同一色や同系色の枠の印刷等を含む。同系色とは、色相環における位置が近い色を意味する。非強調表示の印刷は、投票カードの色と同一色や同系色での印刷に限られず、強調表示の印刷を目立たなくする効果のある色であればよい。
【００５２】
なお、非強調表示の印刷は、強調表示の印刷と重なる領域（投票カードが再度投入された場合に重ね塗りできる位置）に、強調表示印刷を覆う形状で印刷を行う。たとえば、強調表示の印刷が枠であれば、この枠に重なる位置に、強調表示の枠の幅と同じかそれ以上の幅で非強調表示の印刷を行う。また、強調表示の印刷が文字である場合、非強調表示の印刷は強調表示の印刷の文字を塗りつぶす形状の図形や文字で印刷されてもよい。
【００５３】
たとえば、白色の投票カードに対して、マークミスを含む領域に対して強調表示の印刷で赤色の枠を投票カードに印刷した場合について説明する。強調表示の印刷がされた投票カードが再度投入され、マークミスが修正され正しくマークされたと判定した場合、非強調表示の印刷では、投票カードの強調表示の印刷の赤色の枠と重なる位置に白色の枠を印刷する。
【００５４】
また、薄緑色の投票カードに対して、強調表示の印刷でマークミスを含む領域の背景色を桃色に変更した場合について説明する。強調表示の印刷がされた投票カードが再度投入され、マークミスが修正され正しくマークされたと判定した場合、非強調表示の印刷では、同じ領域の背景色を薄緑色に変更する。
【００５５】
なお、投票カードの背景色の変更とは、投票カードの背景色を塗ることや、既に印刷されている背景色に色を重ねて印刷することや、熱などを用いて投票カードの背景色を変更することなどを含む。
【００５６】
強調表示の印刷および非強調表示の印刷がされた投票カードは、投票カード排出口３００から排出される。
このようにして、投票カード読取ユニット３５０は、読取センサ３５６で投票カードを読み取り、投票カードのマークが正しく記入されていない場合には、強調表示の印刷をして投票カード排出口３００から投票カードを排出する。これにより、排出された投票カードを受け取った投票者は、投票カードを見ることでマークの誤記を見つけることができる。
【００５７】
また、利用者がマークの誤記を修正し、修正した投票カードを再度投入したときは、投票カードが正しく修正されていれば、強調表示の印刷に非強調表示の印刷が上書きされて消される。このとき、投票カードに新たに検出されたマークの誤記あるいは、正しく修正されていない箇所があるときは、その箇所に関して強調表示の印刷がされた投票カードを排出する。このように、投票者（利用者）は、正しく修正された箇所の強調表示の印刷が非強調表示の印刷によって上書きされ、修正を要する箇所が強調表示の印刷がされた投票カードを受け取ることができる。これにより、利用者は修正後における投票カードのマークの誤記を容易に見つけることができる。
【００５８】
次に、第２の実施形態の投票システムの機能ブロックについて図５を用いて説明する。図５は、第２の実施形態の投票システムの機能ブロックの一例を示す図である。
図５は、投票システムの投票端末３０と、ホストコンピュータ５０とを示している。
【００５９】
投票端末３０は、カード読取部３１と、マークミス判定部３２と、カード印刷部３３と、発券制御部３４と、通信部３５とを有する。
カード読取部３１は、投票カード読取ユニット３５０が読み取った投票カードに関する情報をマークミス判定部３２や発券制御部３４へ出力する。投票カードは、投票対象の会場、レース番号、式別、組番（馬番、枠番）、金額等について、投票者によってマークが記入されるカードである。投票カードについては、図６を用いて後で説明する。
【００６０】
マークミス判定部３２は、カード読取部３１から取得した読み取り情報に基づき、投票カードにマークミス（投票カードの誤記）があるか否かを判定する。マークミス判定部３２は、判定した結果を発券制御部３４に出力する。
【００６１】
カード印刷部３３は、発券制御部３４からの制御に従い、投票カードに強調表示の印刷および非強調表示の印刷を行う。
発券制御部３４は、カード読取部３１から取得した情報とマークミス判定部３２から取得した情報とにもとづいて、投票券の発券処理の制御を行う。発券制御部３４は、必要に応じてホストコンピュータ５０から取得したレース情報を発券処理に用いることができる。また、発券制御部３４は、カード読取部３１から取得した情報にもとづいて、カード印刷部３３を制御する。
【００６２】
通信部３５は、ネットワーク４０を介してホストコンピュータ５０との間で情報交換を行う。通信部３５は、発券制御部３４に従ってホストコンピュータ５０からレース情報を受信する。通信部３５は、発券制御部３４に従ってホストコンピュータ５０へカード読取部３１が読み取った投票カードの情報や、発券制御部３４が発券した投票券の発券情報を送信する。
【００６３】
ホストコンピュータ５０は、通信部５１と、制御部５２と、記憶部５３とを有する。
通信部５１は、ネットワーク４０を介して投票端末３０との間で情報交換を行う。通信部５１は、制御部５２に従い、ホストコンピュータ５０が取得したレース情報を投票端末３０へ送信する。通信部５１は、制御部５２に従い、投票端末３０から投票カードの情報と発券情報とを受信する。
【００６４】
制御部５２は、通信部５１に対して情報を送受信する制御ができる。また、制御部５２は、記憶部５３に情報を記憶する制御ができる。記憶部５３は、レース情報や投票カード情報や発券情報など各種情報を記憶する。
【００６５】
次に、第２の実施形態の投票カード（記入前）について図６を用いて説明する。図６は、第２の実施形態の投票カード（記入前）の一例を示す図である。
投票カード（記入前）６００は、マークシート方式で記入するカードである。以下、投票カード（記入前）６００を、投票カード６００と表記する。投票カード６００について、公営競技として競馬の例を用いて説明する。
【００６６】
競馬の場合、投票対象は出走馬（以下、単に馬と記載する。）であり、それぞれの馬には、投票対象の番号として馬番号が設定されている。また、１または複数の馬に対し「枠」が割り当てられており、投票者は馬番号または枠番号を用いて投票を行う。投票カード６００は、馬番号等の投票に必要な事項をマークし、投票するために用いられる。
【００６７】
投票カード６００は、前日発売６１０、場名６１１、レース番号６１２、式別６１３、組番（馬番、枠番）・金額・単位を記入する欄６２０，６３０の項目を含む。各項目は、投票券の購入に応じたマークが記入される。
【００６８】
なお、投票カードには、様々な種類があり、投票カードに表示された文字や図形、投票カードの色、投票カードに付されたバーコードなどによって区別される。投票カードは、カードの種類ごとに、項目、マークを記入すべき座標、項目ごとのマーク箇所を含む領域、強調表示の印刷や非強調表示の印刷をする座標（カード座標）等が定まり、これらの情報は投票端末３０のＨＤＤ３１３等に格納される。
【００６９】
前日発売６１０は、前日や前々日から投票券を購入する場合にマークする項目である。場名６１１は、投票対象のレースが行われる場を示す項目であり、１箇所マークする。レース番号６１２は、投票対象のレースの番号を示す項目であり、１箇所マークする。
【００７０】
式別６１３は、投票の式別（賭式の種別）を示す項目であり、１箇所マークする。組番（馬番、枠番）・金額・単位を記入する欄６２０，６３０は、１着・１頭目６２１，６３１、２着・２頭目６２２，６３２、３着・３頭目６２３，６３３、金額６２４，６３４、単位６２５，６３５、取消６２６，６３６の項目を含む。なお、欄６２０または欄６３０で、１点の投票内容となる。
【００７１】
１着・１頭目６２１，６３１、２着・２頭目６２２，６３２、３着・３頭目６２３，６３３は、式別６１３で「枠連」をマークした場合は、枠番号を１箇所マークする項目である。式別６１３で「枠連」以外をマークした場合は、馬番号を１箇所マークする項目である。
【００７２】
金額６２４，６３４と単位６２５，６３５は、投票券を購入したい金額をマークする項目である。たとえば、１５００円の投票券を購入する場合、金額６２４，６３４で「１０」と「５」をマークし、単位６２５，６３５で「百円」をマークする。金額６２４，６３４は、複数箇所マークできる項目である。単位６２５，６３５は、１箇所マークする項目である。
【００７３】
取消６２６，６３６は、その行に記入されたものは全て無効とする場合にマークする項目である。たとえば、取消６２６をマークした場合、組番（馬番、枠番）・金額・単位を記入する欄６２０に含まれる項目でマークミスをしていても、取り消し処理が行われるため、マークミスか否かの判定はされない。また、取消６２６をマークした場合、組番（馬番、枠番）・金額・単位を記入する欄６２０に含まれる項目に記載した内容の投票券は発行されない。
【００７４】
投票カード６００を用いて馬券を購入する場合における、一般的な式別６１３と組番（馬番、枠番）のマーク記入方法については、図８を用いて後で説明する。
次に、第２の実施形態のマークミス判定情報（複数記入）について図７を用いて説明する。図７は、第２の実施形態のマークミス判定情報（複数記入）の一例を示す図である。
【００７５】
マークミス判定情報（複数記入）１１００は、投票カード６００に対応したマークミス判定情報の１つであり、投票カード６００に記入されたマークの誤記を判定するために用いられる。マークミス判定情報（複数記入）１１００は、項目名と複数記入とを対応づけた情報を含む。
【００７６】
項目名は、投票カード６００に含まれる項目を示す情報である。項目は、場名、式別、レース、組番（馬番号／枠番号）、金額、単位を含む。
複数記入は、投票カード６００に含まれる項目について複数箇所にマークを記入することを許可（○）か、否（×）かを示す情報である。
【００７７】
項目のうち、場名、式別、レース、組番（馬番号／枠番号）、単位については、複数箇所にマークすることは認められず、複数箇所にマークした場合はマークミスと判定される。また、項目のうち金額は、複数箇所にマークすることを許可され、金額の数値について複数箇所にマークした場合マークミスと判定はされない。
【００７８】
次に、第２の実施形態のマークミス判定情報（式別）について図８を用いて説明する。図８は、第２の実施形態のマークミス判定情報（式別）の一例を示す図である。
マークミス判定情報（式別）１２００は、投票カード６００に対応したマークミス判定情報の１つであり、投票カード６００に記入されたマークの誤記を判定するために用いられる。マークミス判定情報（式別）１２００は、式別ごとに組番のマーク記入の許可（○）か、否（×）かを示す情報である。
【００７９】
式別は、式別６１３に含まれる種別を示したものである。式別は、単勝、複勝、枠連、馬連、馬単、ワイド、３連複、３連単を含む。
組番は、組番（馬番、枠番）・金額・単位を記入する欄６２０，６３０に含まれる組番（馬番、枠番）について、マークの記入有無を示したものである。「１着記入」の欄に「○」は、１着・１頭目６２１，６３１にマークの記入がある状態が、正しくマークされた状態（マークミスでない状態）であることを示す。
【００８０】
「２着記入」の欄に「○」は、２着・２頭目６２２，６３２にマークが記入されていると、正しくマークが記入された状態（マークミスでない状態）であることを示す。
「２着記入」の欄に「×」は、２着・２頭目６２２，６３２にマークが記入されていると、誤ってマークが記入された状態（マークミスの状態）であることを示す。言い換えると、「２着記入」の欄に「×」は、２着・２頭目６２２，６３２にマークの記入が無い状態（未記入）が、マークミスでない状態である。
【００８１】
「３着記入」の欄に「○」は、３着・３頭目６２３，６３３にマークが記入されていると、正しくマークが記入された状態（マークミスでない状態）であることを示す。「３着記入」の欄に「×」は、３着・３頭目６２３，６３３にマークが記入されていると、誤ってマークが記入された状態（マークミスの状態）であることを示す。言い換えると、「３着記入」の欄に「×」は、３着・３頭目６２３，６３３にマークの記入が無い状態（未記入）が、マークミスでない状態である。
【００８２】
「ゾロ目」の欄は、各組番の数値が同一の数値であるか否か判別するための項目である。「ゾロ目」に「○」は、各組番の数値が同一であることが許可されること（マークミスでない状態）を示す。「ゾロ目」に「×」は、各組番の数値が同一であると誤りとされること（マークミスの状態）を示す。
【００８３】
ここで、式別ごとの組番のマークミスの判定について説明する。ここで、マークが記入された状態を「記入」、マークが記入されていない状態を「未記入」として説明する。たとえば、１着・１頭目６２１，６３１にマークが記入された状態を、「１着記入」とする。また、２着・２頭目６２２，６３２にマークが記入されていない状態を、「２着未記入」とする。
【００８４】
式別の「単勝」は、１着になる馬を１つ選択し、その馬番号に投票する賭式である。式別で「単勝」がマークされた場合、１着記入であり、２着未記入であり、３着未記入である状態で、マークミスは無いと判定される。投票カード６００において、１着・１頭目６２１，６３１の欄において１箇所マークする。２着・２頭目６２２，６３２、３着・３頭目６２３，６３３の欄は、使用しない（未記入である）。
【００８５】
式別の「複勝」は、３着までに入る馬を１つ選択し、その馬番号に投票する賭式である。式別で「複勝」にマークされた場合、１着記入であり、２着未記入であり、３着未記入である状態で、マークミスは無いと判定される。投票カード６００において、１着・１頭目６２１，６３１の欄において１箇所マークする。２着・２頭目６２２，６３２、３着・３頭目６２３，６３３の欄は、使用しない（未記入である）。
【００８６】
なお、「単勝」および「複勝」は、１着記入のみマークするため、正しくマークされていれば、複数の着順の数字が同一である「ゾロ目」にはならない。
式別の「枠連」は、１着と２着になる馬の枠番号の組み合わせに投票する賭式である。式別で「枠連」がマークされた場合、１着記入であり、２着記入であり、３着未記入である状態でマークミスは無いと判定される。投票カード６００において、１着・１頭目６２１，６３１の欄を１箇所マークし、２着・２頭目６２２，６３２の欄を１箇所マークする。３着・３頭目６２３，６３３の欄は、使用しない（未記入である）。
【００８７】
なお、「枠連」のみは、「ゾロ目」である場合でもマークミスでは無いと判定される。つまり、１着記入と２着記入の数値が同一であってもマークミスでは無い。
式別の「馬連」は、１着と２着になる馬の馬番号の組み合わせに投票する賭式である。式別で「馬連」がマークされた場合、１着記入であり、２着記入であり、３着未記入である状態でマークミスは無いと判定される。投票カード６００において、１着・１頭目６２１，６３１の欄を１箇所マークし、２着・２頭目６２２，６３２の欄を１箇所マークする。３着・３頭目６２３，６３３の欄は、使用しない（未記入である）。
【００８８】
式別の「馬単」は、１着と２着になる馬の馬番号を着順どおりに投票する賭式である。
式別で「馬単」がマークされた場合、１着記入であり、２着記入であり、３着未記入である状態でマークミスは無いと判定される。投票カード６００において、１着・１頭目６２１，６３１の欄を１箇所マークし、２着・２頭目６２２，６３２の欄を１箇所マークする。３着・３頭目６２３，６３３の欄は、使用しない（未記入である）。
【００８９】
式別の「ワイド」は、３着までに入る２頭の組み合わせを馬番号で投票する賭式である。式別で「ワイド」がマークされた場合、１着記入であり、２着記入であり、３着未記入である状態でマークミスは無いと判定される。投票カード６００において、１着・１頭目６２１，６３１の欄を１箇所マークし、２着・２頭目６２２，６３２の欄を１箇所マークする。３着・３頭目６２３，６３３の欄は、使用しない（未記入である）。
【００９０】
式別の「３連複」は、１着、２着、３着となる馬の馬番号の組み合わせで投票する賭式である。１着、２着、３着の着順は問わない。「３連複」がマークされた場合、１着記入であり、２着記入であり、３着記入である状態でマークミスは無いと判定される。投票カード６００において、１着・１頭目６２１，６３１の欄を１箇所マークし、２着・２頭目６２２，６３２の欄を１箇所マークし、３着・３頭目６２３，６３３の欄を１箇所マークする。
【００９１】
式別の「３連単」は、１着、２着、３着となる馬の馬番号を着順通りに投票する賭式である。式別で「３連単」がマークされた場合、１着記入であり、２着記入であり、３着記入である状態でマークミスは無いと判定される。投票カード６００において、１着・１頭目６２１，６３１の欄を１箇所マークし、２着・２頭目６２２，６３２の欄を１箇所マークし、３着・３頭目６２３，６３３の欄を１箇所マークする。
【００９２】
なお、式別の「単勝」と「複勝」と「馬連」と「馬単」と「ワイド」と「３連複」と「３連単」は、「ゾロ目（同一番号記入）」である場合にマークミスと判定される。
このように、マークミス判定情報（式別）１２００において、式別に応じて１着・２着・３着のマークの記入に関する条件を定め、投票カード６００に記載されたマークがマークミスか否かの判定に用いることができる。
【００９３】
なお、マークを未記入にすべき欄（１着未記入「×」、２着未記入「×」、３着未記入「×」）についてマークミスを判定する対象から除外する仕様にしてもよい。たとえば、式別で「単勝」がマークされた場合、２着や３着に間違いでマークされていても無視して、１着記入の内容のみで投票券を発行してもよい。
【００９４】
なお、マークミス判定情報（複数記入）１１００とマークミス判定情報（式別）１２００は読取センサ３５６が読み取れるマークの判定条件の一例であり、ここに示した条件以外においてもマークミスと判定される場合がある。たとえば、読取センサ３５６によって読み取れない場合、マークミスと判定される。投票カード６００に記入されたマークについて、色が薄い状態、マーク枠からはみ出して記入された状態、などである。
【００９５】
次に、第２の実施形態の投票カード（返却後１）について図９を用いて説明する。図９は、第２の実施形態の投票カード（返却後１）の一例を示す図である。
投票カード（返却後１）７００は、投票者が投票カードにマークを記入して投票端末３０に投入し、マークミスがあると判定され投票端末３０から返却されたカードの例である。
【００９６】
投票カード（返却後１）７００において、投票カード６００と異なる点は、マークを記入した箇所がある点と、記入したマークに誤記があるか否かに応じて、所定の領域に強調表示の印刷または非強調表示の印刷がされた点である。
【００９７】
投票カード（返却後１）７００において、マークミスのあった項目は、場名７１１、レース番号７１２、組番（馬番、枠番）・金額・単位を記入する欄７３０である。また、正しくマークされた項目は、前日発売７１０、式別７１３、組番（馬番、枠番）・金額・単位を記入する欄７２０である。
【００９８】
場名７１１は、場名のＡ〜Ｊのうち１箇所をマークすべき項目であるが、マークが記入されていないためマークミスと判定され、強調表示の印刷がされる。強調表示の印刷として、場名７１１のマーク箇所を含む領域を囲む、実線で囲まれた枠内を右斜め斜線でハッチングして図示する。実線で囲まれた枠内を右斜め斜線でハッチングした部分（強調表示の部分）は、投票カードの色が白色である場合、赤色や青色や蛍光色などで示される。
【００９９】
なお、強調表示の印刷は、マークミスを含む領域を囲むよう枠を描くことや、マークミスを含む領域の背景色を変更することや、マークミスを指摘する文字や記号を印字することなどを含む。なお、印刷する枠の形状は、略コの字型や略ロの字型や略Ｕ字型や略Ｏ字型などの形状の枠であってもよいし、下線を引く等、その他の形状であってもよい。
【０１００】
強調表示の印刷は、マークミスが存在することを利用者に注意喚起するための印刷であり、枠を印刷する際には投票カード７００と異なる色が用いられる。
強調表示の印刷は、より注意を喚起するため、対象のマークミスを含む所定の範囲に予め記載されている文字や図形の色と異なる色で強調表示を行うとしてもよい。たとえば、強調表示の印刷は、彩度の高い色を用いるとしてもよいし、視覚的特徴のある色や模様でもよい。また、強調表示の印刷は、投票カードの色に対して彩度や、色相や、明度などの差が大きい色であってもよい。
【０１０１】
さらに、強調表示の印刷は、枠で取り囲む領域に含まれる形状あるいは文字の太さよりも太い線で枠を印刷するとしてもよい。
また、マークミスを指摘する文字や記号は、矢印でマークミスの場所を示すとともにどのような記載ミスであるかを説明する文言などを含んでもよい。
【０１０２】
レース番号７１２は、番号の１〜１２のうち１箇所をマークすべき項目であるが、マークが記入されていないためマークミスと判定され、強調表示の印刷がされる。
式別７１３は、式別の「３連単」に１箇所正しくマークがされているため、強調表示の印刷はされない。式別７１３は、非強調表示の印刷がされる。
【０１０３】
非強調表示の印刷は、マークミスを含まない領域を、点線で囲まれた枠内をドット柄でハッチングして図示する。点線で囲まれた枠内をドット柄でハッチングした部分（非強調表示の部分）は、投票カードの色が白色である場合、白色やクリーム色や薄黄色や薄灰色などで示される。なお、非強調表示の印刷は、強調表示の印刷を目立たなくする印刷や、強調表示の印刷の視覚的効果を減少させる印刷などであればよい。
【０１０４】
非強調表示の印刷は、強調表示の印刷を目立たなくする印刷である。このため、非強調表示の印刷は、投票カードが再度投入された場合には強調表示の印刷が目立たなくなるよう上書き（上塗り）する印刷である。なお、初回に投入された投票カードの場合には上塗り対象となる強調表示の印刷は存在せず、非強調表示の印刷で正しくマークされた領域を示すこととなる。
【０１０５】
組番（馬番、枠番）・金額・単位を記入する欄７２０は、正しくマークがされているため、強調表示の印刷はされていない。投票カード７００においては、「式別」が「３連単」であるため、１着、２着、３着となる馬を着順どおりに予想し、馬番号をマークすることを要する。１着は、１着・１頭目７２１の「１」に１箇所マークされている。２着は、２着・２頭目７２２の「２」に１箇所マークされている。３着は、３着・３頭目７２３の「３」に１箇所マークされている。各番号に重複なく、各着順の馬番号は正しくマークされている。また、金額７２４は「１」にマークされ、単位７２５は「百円」の１箇所にマークされ、正しくマークされている。
【０１０６】
取消７２６は、マークの記入がないため、組番（馬番、枠番）・金額・単位を記入する欄７２０に記入された内容は、有効でありマークの誤記の判定対象となる。
組番（馬番、枠番）・金額・単位を記入する欄７３０は、マークが誤って記入されているため、強調表示の印刷がされている。組番（馬番、枠番）・金額・単位を記入する欄７３０のマークミスについて説明する。
【０１０７】
投票カード７００の式別「３連単」においては、１着〜３着の馬を着順どおりに予想し、馬番号をマークする必要があり、重複する番号の記入（ゾロ目）は認められず、誤記と判定される。図９の様に、２着・２頭目７３２は「４」にマークされ、３着・３頭目７３３も「４」にマークされており、ゾロ目（同一馬番号）の記載となっているため、誤記と判定される。
【０１０８】
金額７３４は、金額の数値のいずれか１つ以上にマークしなければならないが、マークの記載がないため、誤記と判定される。
このように、投票カード７００において、マークミス（マークの誤記）と判定された領域について強調表示の印刷をする。印刷後の投票カード７００は、利用者に返却される。これにより、利用者は、投票カード７００におけるマークミス部分がわかりやすくなる。
【０１０９】
なお、強調表示または非強調表示の印刷を処理する場合、インクで印刷するだけでなく、熱や圧力等を加えて投票カードの色を変化させることも含む。
次に、第２の実施形態の投票カード（返却後２）について図１０を用いて説明する。図１０は、第２の実施形態の投票カード（返却後２）の一例を示す図である。
【０１１０】
投票カード（返却後２）８００は、投票者が投票カード（返却後１）７００のマークを修正して投票端末３０に再度投入し、マークミスがあると判定され投票端末３０から返却されたカードの例である。
【０１１１】
投票カード（返却後２）８００において、投票カード（返却後１）７００と異なる点は、マークの記入を修正した箇所が含まれる点と、強調表示の印刷および非強調表示の印刷が異なる部分がある点である。
【０１１２】
場名８１１は、場名の「Ｊ」に１箇所マークが記載され、正しくマークされた。このため、場名８１１のマーク箇所を含む領域を囲む非強調表示の印刷がされた。
レース番号８１２と式別８１３は、レース番号の「６」の部分のマークが斜めに記入され式別の「単勝」の一部にはみ出しているため、誤記と判定される。このため、レース番号８１２と式別８１３は、強調表示の印刷がされた。
【０１１３】
組番（馬番、枠番）・金額・単位を記入する欄８３０は、マークが誤って記入されているため、強調表示の印刷がされている。組番（馬番、枠番）・金額・単位を記入する欄８３０のマークミスについて説明する。
【０１１４】
２着・２頭目８３２は「４」にマークされ、３着・３頭目８３３も「４」にマークされており、ゾロ目の記載となっているため、誤記と判定される。なお、金額８３４は、金額の「５」にマークの記載がされたため、金額８３４については正しくマークされている。
【０１１５】
次に、第２の実施形態の投票カード（返却後３）について図１１を用いて説明する。図１１は、第２の実施形態の投票カード（返却後３）の一例を示す図である。
投票カード（返却後３）９００は、投票者が投票カード（返却後２）８００のマークを修正して投票端末３０に再度投入し、マークミスがあると判定され投票端末３０から返却されたカードの例である。
【０１１６】
投票カード（返却後３）９００において、投票カード（返却後２）８００と異なる点は、マークの記入を修正した箇所が含まれる点と、強調表示の印刷および非強調表示の印刷が異なる部分がある点である。
【０１１７】
レース番号９１２と式別９１３は、レース番号の「６」の部分のマークが斜めに記入され式別の「単勝」の一部にはみ出した部分が消され、レース番号の「６」に正しくマークを記入する修正がされた。これに伴い、レース番号９１２と式別９１３は、非強調表示の印刷がされる。
【０１１８】
組番（馬番、枠番）・金額・単位を記入する欄９３０は、マークが誤って記入されているため、強調表示の印刷がされる。３着・３頭目９３３は、投票カード８００では「４」にマークされていたが、投票カード９００では「５」にマークが修正されている。このため、３着・３頭目９３３の「５」は１着・１頭目９３１の「５」とゾロ目となり、式別「３連単」において誤記と判定される。
【０１１９】
なお、投票カード（返却後３）９００において、１着・１頭目９３１の枠内の領域の背景色と３着・３頭目９３３の枠内の領域の背景色を投票カードと異なる色に印刷することで、強調表示の印刷を行ってもよい。なお、最初に印刷した色とは、異なる別の色で、強調表示の印刷を行ってもよい。また、印刷の範囲も、枠全体の印刷を行ってもよいし、部分的に強調する様に、色を変えて印刷してもよい。
【０１２０】
このように、利用者が返却された投票カードのマークを修正し再度投票端末３０に投入した場合も、マークミスの判定や強調表示および非強調表示の印刷を行うことで、初回の投票カード投入時と同様にマークミスを分かりやすく投票カードに表示できる。
【０１２１】
次に、第２の実施形態の発券処理について図１２を用いて説明する。図１２は、第２の実施形態の発券処理のフローチャートを示す図である。
発券処理は、投票端末３０が、利用者から投票カードと現金を受け付け、投票カードに基づき投票券を発券する処理である。投票端末３０の発券制御部３４は、利用者から投票券を購入する指示を受け、発券処理を制御する。
【０１２２】
投票端末３０は、紙幣出入口３０４、硬貨出入口３０２から投票券の購入代金が入金され、投票カード投入口３０１に投票内容を記載した投票カードが投入されて、処理を開始する。
【０１２３】
［ステップＳ１１］発券制御部３４は、紙幣還流ユニット３２１、硬貨還流ユニット３２２を介して入金を検知し、入金受付を行う。発券制御部３４は、検知された入金金額等の情報を一時記憶領域に保存する指示を出す。
【０１２４】
［ステップＳ１２］カード読取部３１は、投票カード読取ユニット３５０に対し、読取センサ３５６を介して投入された投票カードを読み取る指示をする。カード読取部３１が読み取った情報は、発券制御部３４へ通知する。なお、投票カードを読み取り取得する情報とは、投票カードの種別、投票カードの項目、項目に対応したマーク欄、マーク欄を囲む枠、投票カードに記入されたマークなどを含む。
【０１２５】
［ステップＳ１３］発券制御部３４は、カード読取部３１が読み取った情報に基づきマークミス判定処理をマークミス判定部３２に実行させる。マークミス判定処理は、マークミス判定部３２が投票カードに記載された内容がマークミスか否かを判定する処理である。マークミス判定処理は、図１３を用いて後で説明する。
【０１２６】
［ステップＳ１４］発券制御部３４は、マークミス判定処理の結果をマークミス判定部３２から取得する。発券制御部３４は、マークミス判定処理の結果としてマークミスが有る場合はステップＳ１５に進み、マークミスが無い場合はステップＳ２０に進む。
【０１２７】
［ステップＳ１５］発券制御部３４は、投票カード読取ユニット３５０に対し、投票カードを印刷ユニット３５２へ搬送するよう指示する。
［ステップＳ１６］発券制御部３４は、マークミス判定処理の結果をカード印刷部３３へ出力するとともに、投票カード印刷処理を実行する指示を出す。カード印刷部３３は、投票カード読取ユニット３５０に対し、印刷ユニット３５２を介して投票カード印刷処理を実行させる。投票カード印刷処理は、投票カードに対し強調表示の印刷等を行う処理である。投票カード印刷処理は、図１４を用いて後で説明する。
【０１２８】
［ステップＳ１７］発券制御部３４は、投票カード読取ユニット３５０に対し、印刷ユニット３５２で印刷した投票カードを投票カード排出口３００へ搬送するよう指示し、投入された投票カードを返却する。
【０１２９】
［ステップＳ１８］発券制御部３４は、ディスプレイ３０５に精算を実行するか否かを表示し、タッチパネル３０６からの入力により精算の実行有無を判定する。たとえば、発券制御部３４は、ディスプレイ３０５に「精算を実行しますか？」「はい／いいえ」という表示をする。利用者が、タッチパネル３０６で「はい」を入力した場合は精算を実行すると判定し、「いいえ」を入力した場合は精算を実行しないと判定する。
【０１３０】
発券制御部３４は、精算を実行しない場合はステップＳ１９に進み、精算を実行する場合は、ステップＳ２４に進む。
［ステップＳ１９］発券制御部３４は、ディスプレイ３０５に投票カードのマークミスを修正して再度投入するよう利用者への指示を表示し、投票カードの投入を待つ。発券制御部３４は、投票カードが再度投入されたら、ステップＳ１２に進む。
【０１３１】
［ステップＳ２０］発券制御部３４は、投票カード読取ユニット３５０に対し、投票カードを投票カード収納部３５４へ搬送するよう指示をする。これにより、マークミスのない投票カードは、投票カード収納部３５４に格納される。
【０１３２】
［ステップＳ２１］発券制御部３４は、通信部３５を介して、ホストコンピュータ５０からレース情報を受信する。
［ステップＳ２２］発券制御部３４は、レース情報と投票カードから読み取った情報に基づき、投票券を発券する。投票券は、投票券印刷ユニット３２３で印刷され、投票券排出口３０３より排出される。発券制御部３４は、利用者が投票券を受け取ったことを検出し、ステップＳ２３に進む。
【０１３３】
［ステップＳ２３］発券制御部３４は、投票カードの情報や発券した情報をホストコンピュータ５０に送信する。発券制御部３４が送信した情報は、ホストコンピュータ５０において投票カードの情報収集や売り上げの集計などに用いることができる。
【０１３４】
［ステップＳ２４］発券制御部３４は、発券した投票券に応じた金額をステップＳ１１で受け付けた入金金額から引き、残金を算出する。発券制御部３４は、残金があるか否かを判定し、残金があるときは、ディスプレイ３０５にその旨を表示し硬貨出入口３０２と紙幣出入口３０４を介して残金を排出し、処理を終了する。
【０１３５】
このようにして、マークミスを含む投票カードは、強調表示の印刷が行われ返却されるため、利用者はマークミスを見つけやすくなる。また、利用者は、返却された投票カードに含まれるマークミスの箇所を修正し、修正した投票カードを再度投票に用いることができる。
【０１３６】
次に、第２の実施形態のマークミス判定処理について図１３を用いて説明する。図１３は、第２の実施形態のマークミス判定処理のフローチャートを示す図である。
マークミス判定処理は、マークミス判定部３２が投票カードに記載された内容がマークミスか否かを判定する処理である。マークミス判定処理は、発券処理のステップＳ１３でマークミス判定部３２が実行する処理である。
【０１３７】
［ステップＳ３１］マークミス判定部３２は、投票カードの種別に応じたマークミス判定情報を取得する。投票カードの種別に応じて、マークの項目やマークミスと判定する条件が異なるため、投票カードの種別に応じたマークミス判定情報を取得する。なお、投票カード６００に応じたマークミス判定情報は、マークミス判定情報（複数記入）１１００とマークミス判定情報（式別）１２００である。
【０１３８】
［ステップＳ３２］マークミス判定部３２は、投票カードの情報とマークミス判定情報とを比較する。
［ステップＳ３３］マークミス判定部３２は、比較した結果に基づいて投票カードのマークミス箇所と正しくマークされた箇所とを特定し、特定した情報を発券制御部３４へ出力する。
【０１３９】
次に、第２の実施形態の投票カード印刷処理について図１４を用いて説明する。図１４は、第２の実施形態の投票カード印刷処理のフローチャートを示す図である。
投票カード印刷処理は、投票カードに対し強調表示の印刷等を行う処理である。投票カード印刷処理は、発券処理のステップＳ１６でカード印刷部３３が実行する処理である。カード印刷部３３は、投票カード読取ユニット３５０に対し、印刷ユニット３５２を介して投票カード印刷処理を実行させる。
【０１４０】
［ステップＳ４１］カード印刷部３３は、ステップＳ１２で読み取った投票カードの種別に応じ、カード座標を取得する。
カード座標とは、投票カードのどの位置に描画や印字等をすべきかを示す情報であり、カードの種別に対応づけてＨＤＤ３１３に予め格納されている。カード座標には、投票カードにおける項目に対応した枠の座標や、文字の印刷の位置や、背景色を変更する領域を示す情報を含む。
【０１４１】
このように、カード座標を取得するのは、投票カードの種別ごとに、項目や項目に対応したマーク欄の位置等が異なるためである。
［ステップＳ４２］カード印刷部３３は、発券制御部３４から取得したマークミス判定処理の結果とステップＳ４１で取得したカード座標に基づき、投票カードのマークミスを含む領域（第１の領域）に対し、強調表示の印刷をする。
【０１４２】
たとえば、投票カード（返却後１）７００における場名７１１のマーク欄には記入が無いためマークミスであり、場名７１１のマーク欄を囲む強調表示の印刷がされる。
［ステップＳ４３］カード印刷部３３は、発券制御部３４から取得したマークミス判定処理の結果に基づいて、投票カードに正しくマークされた箇所が存在するか否かを判定する。カード印刷部３３は、判定した結果、正しくマークされた箇所が存在する場合はステップＳ４４に進み、正しくマークされた箇所が存在しない場合は処理を終了する。
【０１４３】
［ステップＳ４４］カード印刷部３３は、発券制御部３４から取得したマークミス判定処理の結果とステップＳ４１で取得したカード座標に基づき、投票カードに含まれる正しくマークされた箇所を含む領域（第２の領域）について非強調表示の印刷をする。
【０１４４】
たとえば、投票カード（返却後１）７００における式別７１３のマーク欄は正しくマークが記入されているため、式別７１３のマーク欄を囲む非強調表示の印刷がされる。
なお、カード印刷部３３は、ステップＳ４２およびＳ４４において、投票カードのマーク欄に干渉しないよう印刷する。印刷したカードを返却後、利用者が投票カードのマークミスを目視で確認し、マーク欄に記入したマークを修正できるようにするためである。
【０１４５】
マーク欄に干渉しないように印刷するとは、投票カードに予め設けられた文字あるいは図形のいずれかが記載される領域を除いた領域に印刷することを含む。また、投票カードに予め設けられた文字あるいは図形が視認できる程度に背景色を変更することや、読取センサ３５６がマークを読み取りできるように印刷することを含む。
【０１４６】
投票カード（返却後１）７００における式別７１３に着目して、干渉しないように印刷する例を説明する。カード印刷部３３は、式別７１３の領域に含まれる式別の種類を示す「単勝」〜「３連単」の文字と、これらの文字に対応した四角形の図形で示したマーク欄を塗りつぶさないように式別７１３の枠に非強調表示の印刷をする。式別７１３は、枠を描くことで非強調表示の印刷をしたが、式別７１３の枠内の領域の背景色を変更することで非強調表示の印刷を行ってもよい。
【０１４７】
このように、投票端末１，３０は、投票カードに強調表示の印刷をすることで、利用者が投票カードの誤記を見つけやすくできる。
また、投票端末１，３０は、利用者が返却された投票カードを再投入した場合であっても、すでに印刷された強調表示と非強調表示に重ねて印刷することで、再度マークミスの判定した結果を投票カードに表すことができる。これにより、再投入された投票カードにおいて、同じ項目でマークミスが繰り返された場合であっても、新たにマークミスが生じた場合であっても、投票カードの誤記を見つけやすくできる。
【０１４８】
このようにして、利用者が投票カードの誤記を見つけやすくできる投票端末、投票システムおよび投票方法を提供できる。
また、返却された投票カードで誤記を確認しやすくなるため、利用者一人当たりの投票端末の操作時間短縮が見込める。これにより、投票券の購入を希望する多数の利用者が、投票端末に行列をなしている場合であっても、投票端末における取引効率を向上させることが見込める。
【０１４９】
また、利用者は、返却された投票カードを用いて、投票カードを返却した投票端末とは異なる他の投票端末で投票券を購入することができる。このため、利用者が特定の投票端末を占有する時間を短縮させることや、投票券の販売効率の向上が見込める。
【０１５０】
なお、上記の処理機能は、コンピュータによって実現することができる。その場合、投票端末１，３０が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体に記録しておくことができる。コンピュータで読み取り可能な記録媒体としては、磁気記憶装置、光ディスク、光磁気記録媒体、半導体メモリなどがある。磁気記憶装置には、ハードディスク装置（ＨＤＤ）、フレキシブルディスク（ＦＤ）、磁気テープなどがある。光ディスクには、ＤＶＤ（Digital Versatile Disk）、ＤＶＤ−ＲＡＭ（Random Access Memory）、ＣＤ−ＲＯＭ（Compact Disc - Read Only Memory）／ＲＷ（ReWritable）などがある。光磁気記録媒体には、ＭＯ（Magneto-Optical disk）などがある。
【０１５１】
プログラムを流通させる場合には、たとえば、そのプログラムが記録されたＤＶＤ、ＣＤ−ＲＯＭなどの可搬型記録媒体が販売される。また、プログラムをサーバコンピュータの記憶装置に格納しておき、ネットワークを介して、サーバコンピュータから他のコンピュータにそのプログラムを転送することもできる。
【０１５２】
プログラムを実行するコンピュータは、たとえば、可搬型記録媒体に記録されたプログラムもしくはサーバコンピュータから転送されたプログラムを、自己の記憶装置に格納する。コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、ネットワークを介して接続されたサーバコンピュータからプログラムが転送されるごとに、逐次、受け取ったプログラムに従った処理を実行することもできる。
【０１５３】
また、上記の処理機能の少なくとも一部を、ＤＳＰ、ＡＳＩＣ、ＰＬＤなどの電子回路で実現することもできる。
なお、本実施の形態で説明した投票端末は一例であり、有人・無人の現金による発券機／発払機や会員カード等を用いて、キャッシュレスで投票が可能なキャッシュレス端末等も含まれる。投票カードを用いて投票が可能な装置全般を含む。また、宝くじ等の発売機・発券機にも応用が可能である。
【０１５４】
また、上述の実施の形態は、実施の形態の要旨を逸脱しない範囲内において種々の変更を加えることができる。
さらに、上述の実施の形態は、多数の変形、変更が当業者にとって可能であり、説明した正確な構成および応用例に限定されるものではない。
【符号の説明】
【０１５５】
１  投票端末
２  読取部
３  誤記判定部
４  印刷部
３０  投票端末
４０  ネットワーク
５０  ホストコンピュータ
３００  投票カード排出口
３０１  投票カード投入口
３０２  硬貨出入口
３０３  投票券排出口
３０４  紙幣出入口
３０５  ディスプレイ
３０６  タッチパネル
【図１】
2016118839.tif 000003
【図２】
2016118839.tif 000004
【図３】
2016118839.tif 000005
【図４】
2016118839.tif 000006
【図５】
2016118839.tif 000007
【図６】
2016118839.tif 000008
【図７】
2016118839.tif 000009
【図８】
2016118839.tif 000010
【図９】
2016118839.tif 000011
【図１０】
2016118839.tif 000012
【図１１】
2016118839.tif 000013
【図１２】
2016118839.tif 000014
【図１３】
2016118839.tif 000015
【図１４】
2016118839.tif 000016